(57)【要約】【課題】    迅速・容易に洗浄作業を行なうことが可能で、しかも、誤操作による温水の出しっ放しを防止すると共に施設管理が容易で、さらに車イス利用者の方も使用し易い、全ての使用者に清潔感を与え不快感・不便のない汚損物洗浄装置を提供する。【解決手段】  便器先浄水用タンク２に接続される給水配管から分岐接続した分岐配管５Ａ，５Ｂに、電気温水器６、足踏み式開閉弁９を介して、汚損物へ向けて洗浄水を吐水する洗浄ノズル部１１を接続するよう構成し、電気温水器６は、床面から１．５メートルより高い位置に配設し、足踏み式開閉弁９は、常時閉型であると共に、洗浄時に床付近に設けた足踏みペダル１０Ａを踏み込むことで開放制御され、電気温水器６において所定温度に加熱した温水を洗浄ノズル部１１へ供給し、洗浄後に足踏みペダル１０Ａの踏み込みを元に戻すことで再び常時閉状態に戻るよう構成した。【選択図】  図１
0003147995.tif 000002
【実用新案登録請求の範囲】
【請求項１】
便器先浄水用タンクに接続される給水配管から分岐接続した分岐配管に、電気温水器、足踏み式開閉弁を介して、汚損物へ向けて洗浄水を吐水する洗浄ノズル部を接続するよう構成し、
前記電気温水器は、床面から１．５メートルより高い位置に配設し、
前記足踏み式開閉弁は、常時閉型であると共に、洗浄時に床付近に設けた足踏みペダルを踏み込むことで開放制御され、前記電気温水器において所定温度に加熱した温水を前記洗浄ノズル部へ供給し、洗浄後に前記足踏みペダルの踏み込みを元に戻すことで再び常時閉状態に戻るよう構成したことを特徴とする汚損物洗浄装置。
【請求項２】
前記洗浄ノズル部は、少なくとも可撓性管部と吐水口とを備え、前記可撓性管部の一方端側を、前記足踏み式開閉弁に固定するように構成したことを特徴とする請求項１記載の汚損物洗浄装置。
【考案の詳細な説明】
【技術分野】
【０００１】
本考案は、オストメイト（人工肛門，人工膀胱保有者）が装着しているパウチ（排泄物受袋）や、患者等の尿を入れた尿瓶等の汚損物を洗浄するのに適した汚損物洗浄装置に関する。
【背景技術】
【０００２】
既設のトイレ内に設置した便器を利用して、オストメイトが装着しているパウチや、患者等の尿を入れた尿瓶等の汚損物（以下、単に汚損物と称する）を洗浄するための汚損物洗浄装置は知られている（例えば、特許文献１参照）。特許文献１の汚損物洗浄装置にあっては、給水配管に分岐接続した手動式給水弁と、汚損物へ向けて先浄水を吐水する可撓性配管を備える洗浄ノズルとの配管途中に、床置き式の電気温水器を配設し、電気温水器において所定温度に加熱した状態の先浄水を洗浄ノズルへ供給して汚損物を洗浄するようにしている。また、洗浄ノズルを構成する可撓性配管の基端部側を、壁面に固定したガイドバーに沿って摺動する係止フックに係止するようにしたことで、使用者は、洗浄ノズルを手に持つことなく汚損物を迅速・容易に、且つ清潔に洗浄することが可能である。
【０００３】
【特許文献１】特開2006−16840号公報
【考案の開示】
【考案が解決しようとする課題】
【０００４】
然るに、特許文献１記載の技術においては、洗浄水の吐水を手動式給水弁の操作で行っていたため、閉め忘れ等の誤操作が生じる事あり、管理上の問題があり不便であった。また、洗浄ノズルを壁面等に固定したガイドバーに沿って摺動するフックに係止するようにしているため、使用中に水圧によりノズルが動きだす場合があり、不便を感じる場合があった。
【０００５】
また、床置き式の電気温水器は、施設管理上清掃の際に多少困難を生じ、不便であった。
【０００６】
更に、床置き電気温水器を公共用障害者トイレに設置した場合、車イス利用者が使用するときに、車イスの種類によっては電気温水器が邪魔になりトイレの利用が困難であった。
【０００７】
本考案は、前記種々の問題点に鑑み、迅速・容易に洗浄作業を行なうことが可能で、しかも、誤操作による温水の出しっ放しを防止すると共に施設管理が容易で、さらに車イス利用者の方も使用し易い、全ての使用者に清潔感を与え不快感・不便のない汚損物洗浄装置を提供することを目的とする。
【課題を解決するための手段】
【０００８】
前記目的を達成するため本考案の汚損物洗浄装置にあっては、便器先浄水用タンクに接続される給水配管から分岐接続した分岐配管に、電気温水器、足踏み式開閉弁を介して、汚損物へ向けて洗浄水を吐水する洗浄ノズル部を接続するよう構成し、前記電気温水器は、床面から１．５メートルより高い位置に配設し、前記足踏み式開閉弁は、常時閉型であると共に、洗浄時に床付近に設けた足踏みペダルを踏み込むことで開放制御され、前記電気温水器において所定温度に加熱した温水を前記洗浄ノズル部へ供給し、洗浄後に前記足踏みペダルの踏み込みを元に戻すことで再び常時閉状態に戻るよう構成したことを特徴とする。
【０００９】
また、本考案の汚損物洗浄装置にあっては、洗浄ノズル部は、少なくとも可撓性管部と吐水部とを備え、前記可撓性管部の一方端側を、前記足踏み式開閉弁に固定するように構成したことを特徴とする。
【考案の効果】
【００１０】
本考案によれば、電気温水器を床面から１．５メートルより高い位置に配設する事で、トイレ内部の有効面積が広くなり、車イスでの利用がし易くなる。また、足踏み式開閉弁・ペダルの設置により、施設管理・清掃が容易になりとなると共に誤操作による水の出しっ放しが防げる。この結果、洗浄水の使用量を低減して水道料金等を良好に節減することができるという利点がある。
【００１１】
更に本考案によれば、洗浄ノズル部は、少なくとも可撓性管部と吐水口とを備え、可撓性管部の一方端側を、足踏み式開閉弁に固定するように構成したことより、使用者は安定した洗浄ノズルの操作で、円滑・良好に汚損物を洗浄することが可能となる。
【考案を実施するための最良の形態】
【００１２】
以下、本考案を実施するための最良の形態について、図１及び図２を参照しながら説明する。図１は、洋式便器を具備したトイレ内に本発明の汚損物洗浄装置を設置した例を示す全体構成図である。図２は、本発明の汚損物洗浄装置の洗浄ノズル部の概略構成図である。図１に示すように、１はトイレ内に設置した洋式便器（以下、単に便器と称する）であり、３は便器洗浄水用タンク２へ便器洗浄水を供給する給水配管である。
【００１３】
本考案の汚損物洗浄装置は、便器先浄水用タンク２に接続される給水配管３から分岐接続した分岐配管５Ａ，５Ｂに、電気温水器６、足踏み式開閉弁９を介して、汚損物へ向けて洗浄水を吐水する洗浄ノズル部１１を接続するよう構成されている。
【００１４】
配管の接続構成を更に詳しく説明する。便器１の便器先浄水用タンク２に接続される給水配管３からは、Ｔ型継ぎ手４Ａとユニオンエルボ４Ｂからなる給水分岐継ぎ手４により、可撓性の給水管からなる分岐配管５Ａが分岐接続される。次に、分岐配管５Ａには、壁掛け型の電気温水器６が接続され、分岐配管５Ａを介して電気温水器６に対し給水が行われる。次に、電気温水器６からは、可撓性の給湯管からなる分岐配管５Ｂが接続され、この分岐配管５Ｂには、ユニオン７、止水弁機能を有するアングル型ボールバルブ８、足踏み式開閉弁９を介して洗浄ノズル部１１が接続され、分岐配管５Ｂを介して洗浄ノズル部１１に対し電気温水器６で加熱された温水の洗浄水が給湯される。
【００１５】
壁掛け型の電気温水器６は、洗浄水を所定量貯留することが可能なタンクと、タンク内に貯留される洗浄水を所定温度に加熱するヒータと、タンク内の洗浄水の温度を検出する温度センサと、温度センサにより検出した洗浄水の温度に基づいてヒータをＯＮ／ＯＦＦ制御する制御手段とを備えて概略構成されており、タンク内に貯留されている洗浄水は、温度センサが検出した洗浄水の温度に基づいて制御手段から制御指令を出力してヒータをＯＮ／ＯＦＦ制御することで、常時汚損物の洗浄に適した温度（例えば３８℃）に保持されている。また、分岐配管５Ａから供給される洗浄水（水道水）が、タンク内にその横部側から流入すると、これに伴ってタンク内に所定温度に加熱した状態で貯留されている洗浄水（温水）は、順次タンクの横部側から流出し、給湯用の分岐配管５Ｂを介して洗浄ノズル部１１へ供給される。
【００１６】
電気温水器６は、床面から１．５メートルより高い位置に配設されることが望ましい。電気温水器６が従来のように床面に設置されていると、車イス利用者が使用するときに、車イスの種類によっては電気温水器が邪魔になりトイレの利用が困難であるためである。種々実験した結果、床面から１．５メートルより高い位置に設置することで、殆どの車イス利用者の邪魔にならないことが判明した。また、このことで清掃が容易になり汚れも残り難いことから、使用者に清潔感を与えることができる。なお、電気温水器６の設置は、壁掛け型に限らず、棚への設置など、床面から１．５メートルより高い位置に設置できれば、どのような設置方法でも構わないものである。
【００１７】
足踏み式開閉弁９は、常時閉型であると共に、洗浄時に床付近に設けた足踏みペダル１０Ａを踏み込むことで制御棒１０Ｂを介して開放制御され、電気温水器６において所定温度に加熱した洗浄水（温水）を洗浄ノズル部１１へ供給し、洗浄後に足踏みペダル１０Ａの踏み込みを離して元に戻すことで制御棒１０Ｂを介して再び常時閉状態に戻り、洗浄水（温水）の洗浄ノズル部１１へ供給を停止するよう構成されている。このように足踏みペダル１０Ａを踏み込むと弁が開放され、ペダルの踏み込みを離すと弁が閉じることから、容易な操作により必要な水量を確保出来ると共に、常時閉型の開閉弁であるため、誤ったペダル操作により洗浄水を吐出してしまったとしても、ペダルを離すだけで洗浄水の吐出が停止されるため、誤操作による洗浄水の出しっ放しを確実に防止でき、管理を容易にする。
【００１８】
洗浄ノズル部１１は、図2に示すように、基端側（図2の下側）を足踏み式開閉弁９に接続するアダプター１２、ナット付エルボ１３、定流量弁１４を、パイプ取付アダプター１５、フレキシブル管からなる可撓性管部１６、先浄水の吐出口１７から構成される。洗浄ノズル部１１は、電気温水器６、分岐配管５Ｂ、足踏み式開閉弁９を介して供給される洗浄水（温水）を吐出口１７から吐水する。この吐出口１７から吐水される洗浄水（温水）は、オストメイトが装着しているパウチや、患者等の尿を入れた尿瓶等の汚損物（以下、単に汚損物と称する）の洗浄に利用される。吐水口１７は、可撓性管部１６の撓みを利用して、図１に示すように、便器１側の所望の位置へ傾動・伸長できるようになっている。
【００１９】
次に、本考案の汚損物洗浄装置を使用して、汚損物を洗浄する場合について説明する。はじめに、洗浄ノズル部１１の可撓性管部１６を、その撓みを利用して屈曲させることにより、可撓性管部１６の先端側に取付けた吐水口１７を、図１で示すように便器１側の所望の位置へ傾動・伸長させる。
【００２０】
つづいて、図１で示すように、便器１側の所望の位置へ傾動・伸長させた洗浄ノズル部１１の吐水口１７を、洗浄しようとする汚損物（図示せず）の開口部から内部へ挿入し、この状態で、足踏みペダル１０Ａを踏み込み、足踏み式開閉弁９を開放制御する。これにより電気温水器６から所定温度に加熱された洗浄水（温水）が、一定の流量で吐水口１７から吐出する。
【００２１】
前述したように、分岐配管５Ａから供給される水道水が電気温水器６のタンク内に流入することにより、洗浄水は、タンク内のヒータによって所定温度に加熱した状態で貯留されている。この状態で、足踏みペダル１０Aを踏み込み足踏み開閉弁９を開放制御すると、水道水は順次電気温水器６内のタンクへ流入し、所定温度に加熱された洗浄水（温水）はタンクから流出する。なお、このとき、電気温水器６のタンク内へ流入する洗浄水（水道水）の流量は一定であるため、洗浄水（水道水）の流入に伴って電気温水器６のタンクから流出する洗浄水（温水）の流量も一定であることはいうまでもない。そして、電気温水器６のタンクから流出した洗浄水（温水）は、分岐配管５Ｂ、足踏み式開閉弁９を介して洗浄ノズル部１１の吐水口１７へ供給され、汚損物内へ向けて吐出され、汚損物を洗浄する。なお、汚損物を洗浄した洗浄水は、汚損物の開口部から順次便器１内へ排出される。
【００２２】
このように、本考案においては、給水配管３、分岐配管５Ａから供給される洗浄水（水道水）を、電気温水器６において所定温度に加熱した状態で洗浄ノズル部１１に供給して、汚損物の洗浄を行うようにしたので、例えば、冬期において、オストメイトが装着しているパウチを洗浄するような場合、洗浄ノズル部１１の吐水口１７からパウチ内へ向けて吐水される洗浄水がオストメイトの肌（身体）に接触したとしても、洗浄水は電気温水器６において加熱されて所定温度の温水となっているので、オストメイトに不快感を与えるようなことは全くない。しかも、前述したように、温水を使用して汚損物（パウチ等）を洗浄することにより、汚損物に付着している汚れを迅速・容易に洗い流すことが可能となるので、洗浄時間の短縮はもとより、洗浄水の使用量を低減して水道料金等を良好に節減することができるという利点もある。
【００２３】
また、本考案においては、洗浄ノズル部１１を構成する可撓性管部１６の基端側が、足踏み式開閉弁９に固定されているので、使用者は洗浄ノズル部１１を手に持つことなく、汚損物を迅速・容易に、かつ、清潔に洗浄することができる。その上、洗浄ノズ部１１を構成する可撓性管部１６の基端側を上下方向へ摺動させることにより、洗浄ノズル部１１の高さ位置を任意に調整することができるとともに、洗浄ノズル部１１の吐水口１７を可撓性管部１６の撓みを利用して便器１側の所望の位置へ傾動・伸長させることができるので、使用者は窮屈な姿勢での汚損物の洗浄を強いられることなく、楽な姿勢で円滑・良好に汚損物を洗浄することが可能となり、大変利便である。
【００２４】
更に、本考案においては、洗浄ノズル部１１に給水弁として定流量弁１４を採用しているので、使用者は足踏みペダル１０Ａを操作するのみで、水道水を給水配管５Ａから一定の流量で電気型温水器６へ供給することが可能となり、この結果、足踏みペダル１０Ａの操作によって洗浄水の流量を調整する必要が全くなくなるので、汚損物洗浄装置の使い勝手を良好に向上させることができる。
【００２５】
つづいて、汚損物の洗浄を終了する場合は、足踏みペダル１０Ａから足を離すことで足踏み式開閉弁９を閉鎖する。足踏み式開閉弁９の閉鎖により、分岐配管５Ａから電気温水器６へ水道水が供給されなくなるため、電気温水器６から洗浄ノズル部１１への洗浄水（温水）の供給も停止される。この後、洗浄ノズル部１１内に残留している洗浄水を便器１内へ排出し、洗浄ノズル部１の可撓性管部１６の屈曲状態を解除することにより、図１で示す便器１側の所望の位置へ傾動・伸長させた状態から、使用前の状態へ復帰させる。
【００２６】
このように、本考案においては、汚損物の洗浄終了後、洗浄ノズル部１１を図１で示す便器１側へ傾動した状態から、図2で示す状態へ復帰させるようにしたので、便器１を汚損物の洗浄時以外に使用する場合に洗浄ノズル部１１が邪魔となり、便器１の使用が阻害されるのを良好に防ぐことができる。なお、洗浄ノズル部１１を便器１とは反対側（便器１から遠ざかる方向）に位置させるようにすれば、便器１の使用時に洗浄ノズル部１１が邪魔となるのを良好に回避することができる。
【図面の簡単な説明】
【００２７】
【図１】洋式便器を具備したトイレに本考案の汚損物洗浄装置を設置した例を示す正面図である。
【図２】本考案の汚損物洗浄装置の洗浄ノズル部を示す概略構成図である。
【符号の説明】
【００２８】
１  洋式便器
２  便器先浄水用タンク
３  給水配管
４  給水分岐継ぎ手
５Ａ  分岐配管
５Ｂ  分岐配管
６  電気温水器
７  ユニオン
８  アングル型ボールバルブ
９  足踏み式開閉弁
１０Ａ  足踏みペダル
１０Ｂ  制御棒
１１  洗浄ノズル部
１２  接続アダプター
１３  エルボ
１４  定流量弁
１５  パイプ取付アダプター
１６  可撓性管部
１７  吐水口
【図１】
0003147995.tif 000003
【図２】
0003147995.tif 000004